(57)【要約】【課題】新規の履き物装置を提供する。【解決手段】換気式の中敷板、自己換気式履き物装置及び自己排水式の履き物装置を提供するものである。【選択図】図１
2014014710.tif 000002
【特許請求の範囲】
【請求項１】
かかと部分と平面部分とを有している換気式の中敷板であって、
（ａ）第一の周囲を有していて、前記換気式の中敷板の前記かかと部分に配置された接続フランジと、
（ｂ）第二の周囲を有していて、前記換気式の中敷板のかかと部分における前記接続フランジに隣接して配置されたピボットポンプと、
（ｃ）前記接続フランジと前記換気式の中敷板の前記平面部分との間の蝶番継手と、
を具備する換気式の中敷板。
【請求項２】
前記第一の周囲が前記第二の周囲より小さい、請求項１に記載の換気式の中敷板。
【請求項３】
換気式の中敷板であって、
（ａ）かかと部分と爪先部分とを備えた中敷と、
（ｂ）前記中敷における前記かかと部分から前記爪先部分に延在している空気分配装置と、
（ｃ）前記中敷の前記かかと部分に隣接した蝶番継手と、
（ｄ）前記中敷の前記かかと部分に配置された接続フランジと、
（ｅ）前記接続フランジに隣接して配置され、前記蝶番継手の周囲を回転するピボットポンプと、
を具備する換気式の中敷板。
【請求項４】
前記空気分配装置が１０mlの吐出量を有している、請求項３に記載の換気式の中敷板。
【請求項５】
（ａ）爪先部分と、
（ｂ）かかと部分と、
（ｃ）前記かかと部分から前記爪先部分へ延伸している中敷板であって、少なくとも１０mlの流体吐出量を有している少なくとも一つの弾力性のある圧縮ポンプを備えている中敷板と、
（ｄ）入口と出口とを有している少なくとも一つの流体流れチャンネルであって、少なくとも前記かかと部分から前記爪先部分へ延伸している流体流れチャンネルとを備えている自己換気式履き物装置であって、
前記入口が前記かかと部分に隣接して配置され、前記少なくとも一つの圧縮ポンプと流体連通しており、前記圧縮ポンプが圧縮から復元される場合空気が前記入口を介して前記圧縮ポンプに吸引される、自己換気式履き物装置。
【請求項６】
前記出口は前記爪先部分における前記少なくとも一つの流体流れチャンネルに、前記爪先部分から離れて配置されていて、前記圧縮ポンプが圧縮されると、前記圧縮ポンプに吸引された空気は前記出口を介して排出される、請求項５に記載の自己換気式履き物装置。
【請求項７】
さらに、前記流体流れチャンネルの前記入口と前記出口との間に配置された少なくとも一つの逆止め弁を有していて、そして
前記自己換気式履き物装置は履き物に取り付けられるべく形成され、前記履き物の全長にわたって延在している、請求項５に記載の自己換気式履き物装置。
【請求項８】
さらに、前記少なくとも一つの流体流れチャンネルの前記入口に入口カバーを備えている、請求項５に記載の自己換気式履き物装置。
【請求項９】
前記少なくとも一つの弾力性のある圧縮ポンプが少なくとも２５０，０００回の圧縮に耐える、請求項５に記載の自己換気式履き物装置。
【請求項１０】
前記少なくとも一つの弾力性のある圧縮ポンプが少なくとも５００，０００回の圧縮に耐える、請求項５に記載の自己換気式履き物装置。
【請求項１１】
前記少なくとも一つの流体流れチャンネルの前記出口が一つの開口部である、請求項４に記載の自己換気式履き物装置。
【請求項１２】
前記少なくとも一つの弾力性のある圧縮ポンプが少なくとも二種類の材料を備えている、請求項５に記載の自己換気式履き物装置。
【請求項１３】
５０％のポンプ効率を備えている、請求項５に記載の自己換気式履き物装置。
【請求項１４】
（ａ）防水式の上部と、
（ｂ）防水式の靴底部分と、
（ｃ）少なくとも一つの入口と、少なくとも一つの出口と、流体リザーバに接続し一体となっている圧縮ポンプとを有している流体分配装置とを備えている自己排水式の防水式の履き物であって、
前記流体分配装置が前記防水式の靴底部分に配置されており、前記少なくとも一つの出口が前記防水式の上部に配置されていて、前記圧縮ポンプを用いて流体を外部環境に排出している、自己排水式の防水式の履き物。
【請求項１５】
前記少なくとも一つの入口が、履き物を履いている人の足の下に配置されている、請求項１４に記載の自己排水式の防水式の履き物。
【請求項１６】
前記流体が液体である、請求項１４に記載の自己排水式の防水式の履き物。
【請求項１７】
前記少なくとも一つの圧縮ポンプ及び流体リザーバが一体になっている、請求項１４に記載の自己排水式の防水式の履き物。
【請求項１８】
前記流体リザーバに入る流体の体積が少なくとも１０mlである、請求項１４に記載の自己排水式の防水式の履き物。
【請求項１９】
前記少なくとも一つの圧縮ポンプが履き物を履いている人のかかとの下に配置されている、請求項１４に記載の自己排水式の防水式の履き物。
【請求項２０】
前記防水式の靴底部分が、さらに中敷と中敷板と外底とを備えている、請求項１４に記載の自己排水式の防水式の履き物。
【請求項２１】
前記流体分配装置が前記中敷の中にある、請求項２０に記載の自己排水式の防水式の履き物。
【請求項２２】
前記流体分配装置が前記外底にある、請求項２０に記載の自己排水式の防水式の履き物。
【請求項２３】
前記流体分配装置が前記中敷板の中にある、請求項２０に記載の自己排水式の防水式の履き物。
【請求項２４】
前記中敷板が、さらに中敷と接続フランジとを有していて、前記中敷はかかと部分及び爪先部分を有しており、前記接続フランジは中敷の中央から前記爪先部分又は前記かかと部分に延伸していて、前記流体分配装置が前記中敷の前記かかと部分及び前記爪先部分と前記接続フランジとの間に延在している、請求項２３に記載の自己排水式の防水式の履き物。
【請求項２５】
（ａ）爪先部分と、
（ｂ）かかと部分と、
（ｃ）前記かかと部分から前記爪先部分へ延伸している中敷板であって、少なくとも１０mlの流体吐出量を有している少なくとも一つの圧縮ポンプを備えている中敷板と、
（ｄ）入口と出口と流体リザーバとを有しており、少なくとも前記かかと部分から前記爪先部分へ延伸している少なくとも一つの流体流れチャンネルであって、
前記入口が前記少なくとも一つの圧縮ポンプと流体連通しており、前記圧縮ポンプが圧縮から復元される場合流体が前記入口を介して前記流体流れチャンネルの前記流体リザーバの中に吸引され、そして前記圧縮ポンプが圧縮されると前記流体が前記出口を介して外部環境に排出されるように前記出口は配置されている、少なくとも一つの流体流れチャンネルと、
前記流体の流れを制御するために、前記少なくとも一つの流体流れチャンネルの前記入口と前記出口との間に配置された逆止め弁と、
を具備する自己排水式の防水式の履き物。
【請求項２６】
前記少なくとも一つの流体流れチャンネルの前記出口が一つの開口部である、請求項２５に記載の自己排水式の防水式の履き物。
【請求項２７】
前記圧縮ポンプが少なくとも１，０００，０００回の圧縮に耐える、請求項２５に記載の自己排水式の防水式の履き物。
【請求項２８】
前記圧縮ポンプが少なくとも二種類の材料からなる、請求項２５に記載の自己排水式の防水式の履き物。
【請求項２９】
前記圧縮ポンプが少なくとも５０％のポンプ効率を有している、請求項２５に記載の自己排水式の防水式の履き物。
【発明の詳細な説明】
【技術分野】
【０００１】
本発明は換気式の中敷板、自己換気式履き物装置、及び自己排水式の履き物であって使用者の足を冷たく又は暖かく保つための装置に関するものである。
【背景技術】
【０００２】
人の足を冷やしかつ除湿する靴は開示されてきた。
【０００３】
例としては、人の足を冷やし除湿する靴の靴底部分に設けられた製品を備えた靴である。この例において、製品は二層に成形されるか、又は靴底部分に接続されていて、第一層が液体駆動タービンを備えた液体充填部分であり、第二層が組込式ファン又はファン又は第一層の液体の運動に応答する液体タービンにより駆動される他のタービンを含んでいる。
【０００４】
連続的な空気流れを生み出す自己駆動式チャンバを備えた運動靴は、靴を履いた人の足に換気を提供し及び／又は靴のはき心地又はクッションを改善しており、これらの靴は開示されてきたものである。
【０００５】
他の例は運動靴であって、その運動靴は日光輻射による熱及び地面からの熱伝導を最小にするべく断熱し、靴の内部に冷気を吸引するべく換気し、運動にもとづく湿分を含んだ暖い空気を排出する。
【０００６】
さらなる例は、靴を含めた靴の換気装置であって、靴底と、かかと部分と上部とポケットとを備えている。そのポケットは靴の外側部分に取り付けられていて、かかと部分に配置された空気入口と空気出口とを備えたベローズを含んでいる。これらの従来の例すべては、靴を履いた人の足を気持ちよくするべく足のまわりに適切な流体流れを提供することに失敗している。
【発明の概要】
【発明が解決しようとする課題】
【０００７】
本発明は履き物に使用するための換気式の中敷板に関するものであって、履き物の内部の使用者の足を冷たく、かつ乾燥するためのものである。
【課題を解決するための手段】
【０００８】
第一の実施の形態において、かかと部分と平面部分とを有している換気式の中敷板が、第一の周囲を有していて、前記換気式の中敷板の前記かかと部分に配置された接続フランジと、第二の周囲を有していて、前記換気式の中敷板のかかと部分における前記接続フランジに隣接して配置されたピボットポンプと、前記接続フランジと前記換気式の中敷板の前記平面部分との間の蝶番継手と、を有する。
【０００９】
別の実施の形態において、換気式の中敷板が、かかと部分と爪先部分とを備えた中敷と、前記中敷における前記かかと部分から前記爪先部分に延在している空気分配装置とを備えている。この実施の形態において、かかと部分が、前記中敷の前記かかと部分に隣接した蝶番継手と、前記中敷の前記かかと部分に配置された接続フランジと、前記接続フランジに隣接して配置され、前記蝶番継手の周囲を回転するピボットポンプとを備えている。
【００１０】
もう一つの実施の形態は、自己換気式履き物装置に関するものであって、装置が、爪先部分と、かかと部分と、前記かかと部分から前記爪先部分へ延伸している中敷板であって、少なくとも１０mlの流体吐出量を有している少なくとも一つの弾力性のある圧縮ポンプを備えている中敷板と、入口と出口とを有している少なくとも一つの流体流れチャンネルであって、少なくとも前記かかと部分から前記爪先部分へ延伸している流体流れチャンネルとを備えていて、前記入口が前記かかと部分に隣接して配置され、前記少なくとも一つの圧縮ポンプと流体連通しており、前記圧縮ポンプが圧縮から復元される場合空気が前記入口を介して前記圧縮ポンプに吸引される。前記出口は、つま先部分の遠位部分に配置されていて、圧縮ポンプに吸引された空気が、ポンプの圧縮時に出口を介して排出される。
【００１１】
本発明の別の実施形態は、自己排水式の防水式の履き物に関するものである。
【００１２】
自己排水式の防水式の履き物が、防水式の上部と、防水式の靴底部分と、少なくとも一つの入口と、少なくとも一つの出口と、流体リザーバに接続し一体となっている圧縮ポンプとを有している流体分配装置とを備えていて、前記流体分配装置が前記防水式の靴底部分に配置されており、前記少なくとも一つの出口が前記防水式の上部に配置されていて、前記圧縮ポンプを用いて流体を外部環境に排出している。
【００１３】
もう一つの実施の形態において、自己排水式の防水式の履き物が、爪先部分と、かかと部分と、前記かかと部分から前記爪先部分へ延伸している中敷板であって、少なくとも１０mlの流体吐出量を有している少なくとも一つの圧縮ポンプを備えている中敷板と、入口と出口と流体リザーバとを有しており、少なくとも前記かかと部分から前記爪先部分へ延伸している少なくとも一つの流体流れチャンネルであって、前記入口が前記少なくとも一つの圧縮ポンプと流体連通しており、前記圧縮ポンプが圧縮から復元される場合流体が前記入口を介して前記流体流れチャンネルの前記流体リザーバの中に吸引され、そして前記圧縮ポンプが圧縮されると前記流体が前記出口を介して外部環境に排出されるように前記出口は配置されている、少なくとも一つの流体流れチャンネルと、前記流体の流れを制御するために、前記少なくとも一つの流体流れチャンネルの前記入口と前記出口との間に配置された逆止め弁と、を具備する。
【図面の簡単な説明】
【００１４】
【図１】図１は、本発明における自己中敷板の実施形態である。
【図２】図２は、本発明における自己中敷板の別の実施形態であって、自己中敷板は空気分配装置を備えている。また同図には、蝶番継手がかかと部分の近くで、かかとと平面部分との間及び空気分配装置の反対側に図示されている。
【図３Ａ】図３Ａは、履き物に取り付けられた自己換気式履き物装置の断面図であって、ストロベル構造の防水式履き物を含んでいる。
【図３Ｂ】図３Ｂは、履き物に取り付けられた自己換気式履き物装置の断面図であって、ストロベル構造の非防水式履き物を含んでいる。
【図３Ｃ】図３Ｃは、履き物に取り付けられた自己換気式履き物装置の断面図であって、セメントラスティド構造体の防水式履き物を含んでいる。
【図３Ｄ】図３Ｄは、履き物に取り付けられた自己換気式履き物装置の断面図であって、セメントラスティド構造体の非防水式履き物を含んでいる。
【図３Ｅ】図３Ｅは、履き物に取り付けられた自己換気式履き物装置の断面図であって、シングルラスティド構造の防水式履き物を含んでいる。
【図３Ｆ】図３Ｆは、履き物に取り付けられた自己換気式履き物装置の断面図であって、シングルラスティド構造の非防水式履き物を含んでいる。
【図３Ｇ】図３Ｇは、履き物に取り付けられた自己換気式履き物装置の断面図であって、防水シールを形成するために直接射出により作られた履き物を含んでいる。
【図３Ｈ】図３Ｈは、履き物に取り付けられた自己換気式履き物装置の断面図であって、直接射出により作られた非防水式履き物を含んでいる。
【図３Ｉ】図３Ｉは、履き物に取り付けられた自己換気式履き物装置の断面図であって、防水式のブーティー構造を含んでいる。
【図３Ｊ】図３Ｊは、履き物に取り付けられた自己換気式履き物装置の断面図であって、非防水式のブーティー構造を含んでいる。
【図４】図４は、流体を収集するための前もって作られたキャビテを備えた自己排水式の防水履き物を図示している。
【図５】図５は、自己排水式の防水履き物を図示していて、防水部分が中敷きと中敷き板と外底とを有している。
【発明を実施するための形態】
【００１５】
本発明は履き物及び履き物に挿入するための装置に関するものであって、その装置は、履き物に空気を供給及び／又は履き物から流体を除去するようになっている。
【００１６】
本発明は靴又はブーツに挿入するための換気式の中敷板を提供する。
【００１７】
図１に図示する実施形態において、換気式の中敷板２はかかと部分３と、平面部分５と第一の円周を有する接続フランジ６と、第二の周囲を有し、かつ接続フランジ６に隣接して配置されているピボットポンプ（pivotable pump）７と、接続フランジ６とピボットポンプとの間の蝶番継手８とを有している。図１に図示するように、接続フランジ６及びピボットポンプ７は換気式の中敷板２のかかと部分３に配置されていて、蝶番継手８はかかと部分３と換気式の中敷板２の平面部分５との間に配置されている。本実施形態において、接続フランジ６の第一の円周はピボットポンプ７の第二の円周より小さい。代りに、ピボットポンプは、履き物のかかとの凹部又は換気式の中敷板の下方に配置されてもよい。
【００１８】
換気式の中敷板の構造体に適切な材料は、プラスチック、ごむ、エラストマ、ポリ塩化ビニル、ポリエチレン、エチレンビニルアルコール（ＥＶＡ）、熱可塑性ポリウレタン（ＴＰＵ）、高周波（ＲＦ）溶接が可能な材料、溶接が可能な材料、超音波（ＵＳ）溶接が可能な材料、接着することが可能な材料であるけれども、これらに限定されるものではない。接続フランジの構造体に適切な材料は、プラスチック、ごむ、エラストマ、ポリ塩化ビニル、ポリエチレン、エチレンビニルアルコール（ＥＶＡ）、熱可塑性ポリウレタン（ＴＰＵ）、高周波（ＲＦ）溶接が可能な材料、溶接が可能な材料、超音波（ＵＳ）溶接が可能な材料、接着することが可能な材料であるけれども、これらに限定されるものではない。ピボットポンプは一つの部品又は多数の部品から形成されていてもよい。ピボットポンプを形成するのに使用される材料は、プラスチック、ごむ、エラストマ、ポリ塩化ビニル、ポリエチレン、エチレンビニルアルコール（ＥＶＡ）、熱可塑性ポリウレタン（ＴＰＵ）、高周波（ＲＦ）溶接が可能な材料、溶接が可能な材料、超音波（ＵＳ）溶接が可能な材料、接着することが可能な材料、圧縮可能なポンプ本体を形成するのに適切な材料であるけれども、これらに限定されるものではない。蝶番継手はピボットポンプを換気式の中敷板に溶接又は接着することにより形成される。
【００１９】
図２において、換気式の中敷板はさらに空気分配装置１０を有していて、空気分配装置１０は少なくとも換気式の中敷板２のかかと部分３から換気式の中敷板の爪先部分４に延伸している。本実施形態において、接続フランジ６と、接続フランジ６に隣接して配置されたピボットポンプ７とはかかと部分３に配置されていて、蝶番継手８を有しており、蝶番継手８はかかと部分３に隣接しており、ピボットポンプ７は蝶番継手８の周囲を回転する。本実施形態において、空気分配装置１０は、好ましくは少なくとも１０mlの、より好ましくは２０mlの吐出体積を有している。空気分配装置はピボットポンプに接続される流体チャンネルを有している。
【００２０】
本発明は自己換気式の中敷板をも提供している。
【００２１】
図３Ａ−３Ｊは本発明における自己換気式の中敷板を図示していて、自己換気式の中敷板は爪先部分４と、かかと部分３と、中敷板２と、少なくとも一つの弾力性のあるピボットポンプ７と、少なくとも一つの流体流れチャンネル１４と、少なくとも一つの逆止め弁１７とを有していて、前記中敷板２は履き物装置のかかと部分３から爪先部分４へ延伸しており、前記少なくとも一つの流体流れチャンネル１４は入口１５及び出口１６を有していて、履き物装置２０のかかと部分３から爪先部分４へ延伸しており、前記少なくとも一つの逆止め弁１７は入口１５と出口１６との間の流体流れチャンネル１４の中に配置されている。流体流れチャンネル１４は、中敷板又はシュトローベルボード（strobel board）の中に組み込まれていてもよいし、それらとは独立であってもよい。
【００２２】
図３Ａ，３Ｂにおいて、履き物装置は上部を含んでいて、その上部は少なくとも、防水で、水蒸気が透過する層と、それに重ねられた外層とを有している。上部３０はステッチ３５を介してシュトローベルボード３０に接続され、閉じた上部を形成していて、その閉じた上部は、内面と外面と開いた上部と閉じた底部とを有している。防水ガスケット材料３６が閉じた上部の閉じた底部の内面に接着されていて、シュトローベルボードとステッチと少なくとも上部の外周縁とをおおっている。本実施形態において、中敷板は内張り３１に接続されていて、その内張り３１は所望する形状に内張りすることができる。靴底部分４２が追加されてもよい。図３Ｂは図３Ａと同様のシュトローベル構造体の断面図であるが、内張りを必要とするものではない。本実施形態において、中敷板は非防水の靴又はブーツを形成している上部に直接接続されてもよい。
【００２３】
図３Ｃ，３Ｄはセメントラスティドの履き物構造体（cement lasted footwear construction）の断面図である。図３Ｄはセメントラスティドの構造体の断面図であって、その構造体は、爪先部分４と、かかと部分３と、中敷板２と、少なくとも一つの弾力性のあるピボットポンプ７と、少なくとも一つの流体流れチャンネル１４と、少なくとも一つの逆止め弁１７とを有していて、前記中敷板２は履き物装置のかかと部分３から爪先部分４へ延伸しており、前記少なくとも一つの流体流れチャンネル１４は入口１５及び出口１６を有していて、履き物装置２０のかかと部分３から爪先部分４へ延伸しており、前記少なくとも一つの逆止め弁１７は入口１５と出口１６との間の流体流れチャンネル１４の中に配置されている。図３Ｃにおいて、足型ボード５０は接着剤１００を用いて靴底部分４２の上方に位置する構造体を形成する上部３５に接着されている。図３Ｄにおいて、上部３０は内張り３１に接続されている。足型ボード５０は接着剤１００により直接内張り３１に接続されていて、靴底部分が足型ボードに接触されている。
【００２４】
図３Ｅは、防水式の単一の足型構造体の断面図であって、爪先部分４と、かかと部分３と、中敷板２と、少なくとも一つの弾力性のあるピボットポンプ７と、少なくとも一つの流体流れチャンネル１４と、少なくとも一つの逆止め弁１７とを有していて、前記中敷板２は履き物装置のかかと部分３から爪先部分４へ延伸しており、前記少なくとも一つの流体流れチャンネル１４は入口１５及び出口１６を有していて、履き物装置２０のかかと部分３から爪先部分４へ延伸しており、前記少なくとも一つの逆止め弁１７は入口１５と出口１６との間の流体流れチャンネル１４の中に配置されている。押出し成形されたポリマ１０２が内張りの縁を足型ボードに接続してシールを形成するべく使用されている。本実施形態においては、図示されているように押出し成形されたポリマで空間を充填し、そして靴底部分４２の開口部又はキャビテを満たすことにより、簡単な製造工程となっている。
【００２５】
図３Ｆは、単一の足型成形された履き物構造体の断面図であって、爪先部分４と、かかと部分３と、中敷板２と、少なくとも一つの弾力性のあるピボットポンプ７と、少なくとも一つの流体流れチャンネル１４と、少なくとも一つの逆止め弁１７とを有していて、前記中敷板２は履き物装置のかかと部分３から爪先部分４へ延伸しており、前記少なくとも一つの流体流れチャンネル１４は入口１５及び出口１６を有していて、履き物装置２０のかかと部分３から爪先部分４へ延伸しており、前記少なくとも一つの逆止め弁１７は入口１５と出口１６との間の流体流れチャンネル１４の中に配置されている。上部３０の縁は足型ボードに接続されセメント又は接着剤１００によりシールを形成している。
【００２６】
図３Ｇは、直接射出成形された靴の断面図であって、靴は防水内張り３１を備えている。本実施形態は、爪先部分４と、かかと部分３と、中敷板２と、少なくとも一つの弾力性のあるピボットポンプ７と、少なくとも一つの流体流れチャンネル１４と、少なくとも一つの逆止め弁１７とを有していて、前記中敷板２は履き物装置のかかと部分３から爪先部分４へ延伸しており、前記少なくとも一つの流体流れチャンネル１４は入口１５及び出口１６を有していて、履き物装置２０のかかと部分３から爪先部分４へ延伸しており、前記少なくとも一つの逆止め弁１７は入口１５と出口１６との間の流体流れチャンネル１４の中に配置されている。ネット式バンド１０２は、中敷板２と靴底部分との間にどのような材料をも必要とすることなく靴底部分が中敷板２に取り付けられることを可能にしていて、靴を軽量化しクッション性を高めることを可能にしている。ネット式バンド１０２はステッチ３５により所定位置に保持されていてもよい。ネットボードは上部３０を内張り３１に取り付けていてもよい。
【００２７】
図３Ｈは、直接射出成形された非防水式の靴の断面図である。本実施形態は、爪先部分４と、かかと部分３と、中敷板２と、少なくとも一つの弾力性のあるピボットポンプ７と、少なくとも一つの流体流れチャンネル１４と、少なくとも一つの逆止め弁１７とを有していて、前記中敷板２は履き物装置のかかと部分３から爪先部分４へ延伸しており、前記少なくとも一つの流体流れチャンネル１４は入口１５及び出口１６を有していて、履き物装置２０のかかと部分３から爪先部分４へ延伸しており、前記少なくとも一つの逆止め弁１７は入口１５と出口１６との間の流体流れチャンネル１４の中に配置されている。ピボットポンプは中空であるが、形状を保つために中央に充填材料を備えている。中敷板２はステッチ３５又は他の固定手段により上部３０に接続されている。靴底部分４２は直接中敷板２に射出成形される。
【００２８】
図３Ｉ，３Ｊはブーティー型式の構造体（bootie type construction）を図示している。図３Ｉは、靴底部分１２の上方に使用されるシュトローベルボード（strobel board）３２を備えたブーティー型式の構造体を図示している。本実施形態は、ブーティー型式の構造体で防水式の履き物を可能にするものである。本実施形態は、爪先部分４と、かかと部分３と、中敷板２と、少なくとも一つの弾力性のあるピボットポンプ７と、少なくとも一つの流体流れチャンネル１４と、少なくとも一つの逆止め弁１７とを有していて、前記中敷板２は履き物装置のかかと部分３から爪先部分４へ延伸しており、前記少なくとも一つの流体流れチャンネル１４は入口１５及び出口１６を有していて、履き物装置２０のかかと部分３から爪先部分４へ延伸しており、前記少なくとも一つの逆止め弁１７は入口１５と出口１６との間の流体流れチャンネル１４の中に配置されている。中敷板２はステッチ３５により内張り３１に接続することができ、シームをおおってシームテープ４０を接着することができ、縫い合わされたシームを防水式にすることができる。中敷板２は履き物の直下に配置することができる。上部３０は図示するようにステッチによりシュトローベルボードに取り付けられ、内張り３１及びポンプ構造体を取り囲む外殻を形成している。靴底部分１２は、直接射出成形又は接着又は他の方法により上部及びシュトローベル構造体に取り付けることができる。
【００２９】
図３Ｊは非防水式のブーティー型式の構造体を図示していて、ブーティー型式の構造体は、爪先部分４と、かかと部分３と、中敷板２と、少なくとも一つの弾力性のあるピボットポンプ７と、少なくとも一つの流体流れチャンネル１４と、少なくとも一つの逆止め弁１７とを有していて、前記中敷板２は履き物装置のかかと部分３から爪先部分４へ延伸しており、前記少なくとも一つの流体流れチャンネル１４は入口１５及び出口１６を有していて、履き物装置２０のかかと部分３から爪先部分４へ延伸しており、前記少なくとも一つの逆止め弁１７は入口１５と出口１６との間の流体流れチャンネル１４の中に配置されている。押出し成形されたポリマ又は接着剤１００が上部を足型ボード５０に接続しシールを形成している。足型ボード５０は靴の形状を保つために使用される。足型ボード５０は上部３０と内張り３１との間に取り付けてもよい。
【００３０】
上部は布製品又は革であってもよい。本実施形態にて使用される布製品は、編んだもの、ニット、メッシュ、編んでないものフエルトの構造体等であってもよい。布製品は、木綿のような天然繊維又はポリエステル、ポリアミド、ポリプロピレン、ポリオレフィン、それらの混合体のような合成繊維であってもよい。上部は耐久性、耐摩耗性にすぐれ、そして審美的にもすぐれたものである。
【００３１】
流体流れチャンネル１４の入口１５はかかと部分３に隣接して配置されポンプ１２と流体連通していて、ポンプ１２が復元されると空気は入口１５を介してポンプ１２の中へ吸引される。いくつかの実施形態において、流体流れチャンネルの入口は入口カバー２５を有していて、入口カバー２５は入口をおおっていてほこりや水が流体流れチャンネルの中へ侵入することを防いでいる（図３Ｆ参照）。入口カバーは水又はほこりが流体流れチャンネルの中に入ることを防ぐことにより、ポンプの摩耗を防いでいる。他の実施形態において、入口カバーは流体流れチャンネルを閉止するプラグ、ねじ又は他の手段により流体流れチャンネルを閉じるべく形成されていてもよい。
【００３２】
流体流れチャンネル１４の出口１６は爪先部分に又は爪先部分４から離れて配置されていて、ポンプが圧縮されるとポンプ１２に吸引された空気が流体流れチャンネル１４の出口１６を介して排出されるようになっている。出口は、一つの開口部又は複数の開口部を備えている。
【００３３】
自己換気式の中敷板のポンプは、好適には１０ml、より好適には少なくとも２０mlの空気を吐出する。少なくとも１０mlの空気が吐出されると相対湿度は約１５％下がることが期待される。本発明に使用される圧縮ポンプは、ある実施形態においては少なくとも２５０，０００回圧縮後に、又は他の所望される実施形態においては少なくとも５００，０００回の圧縮後に、一回当り少なくとも１０mlの空気を吐出する。この履き物装置のいくつかの実施形態において、圧縮ポンプは前述した材料のような少なくとも二つの異なる材料を備えている。本発明の履き物装置に使用される好適なポンプは、少なくとも５０％、好ましくは少なくとも６０％、より好ましくは７５％のポンプ効率を備えている。
【００３４】
自己換気式履き物装置は履き物の内側に入るように形成され、履き物のほぼ全長にわたって延在するように形成されている。
【００３５】
本発明は自己排水式の防水式履き物を提供している。例示の自己排水式の防水式履き物が図４に図示されていて、自己排水式の防水式履き物が、防水式上部３０、防水式靴底部分３１及び流体分配装置３２を備えている。
【００３６】
流体分配装置３２が少なくとも一つの入口１５と、逆止め弁１７と、出口１６とを備えていて、前記少なくとも一つの入口１５は少なくとも一つの圧縮ポンプ１２に接続されポンプ１２は流体リザーバ３５に接続されるか組み込まれ、それらのすべてが防水式の靴底部分３１に配置されており、前記逆止め弁１７は入口１５と出口１６との間に配置されていて、前記出口１６は防水式の上部３０に配置され履き物からポンプを介して流体を外部に吐出するようになっている。ある実施形態において、流体リザーバ３５の流体の容量は少なくとも１０ml、より好ましくは２０mlである。選択可能なキャビテ７０がポンプを囲んで形成されていて、流体が靴の中敷にたまるようになっている。
【００３７】
ある実施形態において、入口は履き物を履いている人の足の下に配置されているけれども、入口は流体が流入してくるかも知れないどの場所に配置されてもよい。
【００３８】
ある実施形態において、圧縮ポンプ１２は履き物を履いている人のかかとの下に配置されていて、例えば母指球の下方どこでもよい。
【００３９】
図５に図示する実施形態において、防水式の靴底部分が選択的に中敷３７と、中敷板２と、外底３９とを有している。本実施形態において、流体分配装置３２は中敷又は中敷板又は外底に配置されている。さらに本実施形態において、流体分配装置３２は中敷板２の中に配置され、中敷板はかかと部分３及び爪先部分４を備えた中敷と、接続フランジ６とを有しており、流体分配装置３２はかかと部分３と爪先部分４との間に延在し、そして接続フランジ６は中敷板２の中央から爪先部分４へ又はかかと部分３へ延伸している（図５参照）。
【００４０】
図５において、自己排水式の履き物装置は、爪先部分４と、かかと部分３と、中敷板２と、少なくとも一つの流体流れチャンネル１４と、少なくとも一つの逆止め弁１７とを有していて、前記中敷板２はかかと部分３から爪先部分４へ延伸しており、少なくとも一つの圧縮ポンプ１２を有しており、前記少なくとも一つの流体流れチャンネル１４は流体リザーバ３５、入口１５及び出口１６を有していて、少なくともかかと部分３から爪先部分４へ延伸しており、前記少なくとも一つの逆止め弁１７は入口１５と出口１６との間の流体流れチャンネル１４の中に配置されていて、流体の流れ方向を制御している。自己排水式の履き物装置の圧縮ポンプ１２は流体出口を介して流体を吐出している。出口１６は履き物のどこにでも配置できる。流体流れチャンネル１４の入口１５はポンプ１２と流体連通していて、流体は、ポンプ１２が圧縮から復元するときに入口１５を介して流体流れチャンネル１４の流体リザーバ３５の中へ吸引される。流体流れチャンネル１４の出口１６は、ポンプ１２が圧縮されると流体が履き物から出口１６を介して外部へ吐出されるように配置されている。
【００４１】
ある実施形態において、流体流れチャンネル１４の出口１６は一つの開口部であってもよいし、複数であってもよい。
【００４２】
好ましくは、本発明の実施形態における圧縮ポンプは少なくとも百万回の圧縮に耐えるものである。本履き物装置のいくつかの実施形態において、圧縮ポンプは少なくとも二つの異なる材料からなり、例えば、ポリウレタンがポリエチレンに接続され、塩化ポリビニルがＴＰＵに接続され、又は他の所望する材料の組合せで組立てられている。
【００４３】
本発明の実施形態において、空調手段が空気流れチャンネルに備えられている。そのような空調手段は香料、脱臭剤、温熱パック、抗菌剤等を含んでいるが、これらに限定されるものではない。流体調節設備を流体流れチャンネルに組み込むことも可能であって、流体調節設備は香料、脱臭剤、温熱パック、抗菌剤等を含んでいる。
【００４４】
さらなる実施形態において、ハイブリッドの排水−換気式履き物装置が換気装置を備えていて、換気装置は、爪先部分４と、かかと部分３と、中敷板２と、少なくとも一つの弾力性のあるピボットポンプ７と、少なくとも一つの流体流れチャンネル１４と、少なくとも一つの逆止め弁１７とを有していて、前記中敷板２は履き物装置のかかと部分３から爪先部分４へ延伸しており、前記少なくとも一つの流体流れチャンネル１４は入口１５及び出口１６を有していて、履き物装置２０のかかと部分３から爪先部分４へ延伸しており、前記少なくとも一つの逆止め弁１７は入口１５と出口１６との間の流体流れチャンネル１４の中に配置されている。さらに、自己排水式の履き物が、防水式上部３０、防水式靴底部分３１及び流体分配装置３２を備えている。流体分配装置３２が少なくとも一つの入口１５を備えていて、前記少なくとも一つの入口１５は少なくとも一つの圧縮ポンプ１２に接続されポンプ１２は流体リザーバ３５に接続されるか組み込まれている。ハイブリッドの排水−換気式履き物装置の使用者は、装置を調節することにより、排水装置又は換気装置の一方を選択して操作することができる。
【００４５】
例
例１
試験体の性能を測定するための、空気収集／測定装置は以下のようなものである。さかさ向きにしたじょうごが大きな水槽に沈められ、逆さ向きにした目盛付きのシリンダがじょうごの上部に配置され、目盛付きのシリンダの開口端部は水につかっている。空気流／ポンプ装置各々は以下のように試験された。空気流れ装置が水槽に置かれ、空気入口は水面の上方に位置し、空気出口はじょうごの広い端部の真下に沈められ、空気流れは手動でポンプ駆動され、空気が装置、じょうごを通過し逆さ向きにした目盛付きシリンダに収集される。
【００４６】
一連の流体排出ポンプが使用され、目盛付きのシリンダに収集された排出された空気の合計体積が使用したポンプの合計台数で除算され、空気流装置から排出されたポンプ一台当りの空気量が決定された。
【００４７】
試験体Ｂ，Ｃ及びＤは空気流れ用の標準的な履き物ポンプのようなコンポーネントを使用した比較例である。履き物ポンプは押し出し能力を読み取るために、そのコンポーネントの中へ下げられた。試験体用のデータを収集するために、試験体のポンプ組立体が使用された。データを表１Ａに示めす。
【００４８】
例２
表１Ａ及び１Ｂは前述の例１において試験された試験体に関する合計排出量を示めしている。
【表１Ａ】
2014014710.tif 000003
【表１Ｂ】
2014014710.tif 000004
【００４９】
例３
“防水式履き物”が意味しているものは以下のように測定される。履き物が吸い取り紙の上に置かれる。履き物の内部には、室温の水が（履き物のかかと部分における中敷から測定して）約３０mmの高さに充填されている。水は履き物の中に二時間保持されている。二時間後に、吸い取り紙と履き物の上部は、水が吸い取り紙又は上部の外層に到達していないかどうか試験される。もし、水が吸い取り紙又は上部の外層に到達していないなら、履き物は防水であると判定される。
【００５０】
例４
ここで使用されている“防水、水蒸気の透過層”及び“防水ガスケット材料”が、本発明による履き物を形成するべく組合わせられた場合に、もし、それらが前述に定義されたように“防水”であるならば、それらは“防水”である。
【００５１】
例５
空気流れポンプ装置に取り付けた靴が走行シュミレータに置かれる。空気収集／測定装置は、一部分に水が充填された大きな目盛付きのシリンダと水に浮いている逆さ向きにした小さな目盛付きのシリンダとからなり、シュミレータの近くに置かれている。チューブの一方の端部が空気流れ装置の出口に配置され、他方の端部は、大きな目盛付きのシリンダを通り、水面下を通って逆さ向きにした小さな目盛付きのシリンダに通じている。走行シュミレータが“歩行”すると、空気流れ装置のポンプが圧縮され、空気が出口からチューブを通って空気収集／測定装置の中へ流入し、逆さ向きにした小さな目盛付きのシリンダを水の中で上昇させる。一連の歩行回数が計測され逆さ向きにした小さな目盛付きのシリンダの中に排出された空気の合計体積を歩行回数で除算し、一歩当りに排出される空気の体積が決定される。
【００５２】
例６
空気収集／測定装置は以下のようなものである。さかさ向きにしたじょうごが大きな水槽に沈められ、逆さ向きにした目盛付きのシリンダがじょうごの上部に配置され、目盛付きのシリンダの開口端部は水につかっている。空気流／ポンプ装置各々は以下のように試験された。空気流れ装置が水槽に置かれ、空気入口は水面の上方に位置し、空気出口はじょうごの広い端部の真下に沈められ、空気流れは手動でポンプ駆動され、空気が装置、じょうごを通過し逆さ向きにした目盛付きシリンダに収集される。一連の流体排出ポンプが使用され、目盛付きのシリンダに収集された排出された空気の合計体積が使用したポンプの合計台数で除算され、空気流装置から排出されたポンプ一台当りの空気量が決定された。
【００５３】
例７
表２に示めすように、カジュアルな靴を爪先きに空気を供給するべく修正したものである。換気空気の湿度は外気の相対湿度（ＲＨ）と同一である。温度及び相対湿度は、足の甲回りと、靴底とかかととの三ヶ所で監視された。各試験ごとに、靴と靴下の重量変化が測定された。各々の試験の時間は一時間であった。履き物を通過する空気の量は一歩幅当り０，５，１０，２０，３０，６０，９０mlの正の流れ及び５，１０，２０，３０mlの負の流れに制御された。歩行の周期（歩調）は２Hz（速足ペース）で摸捉した。
データ記録装置が身体に取り付けられ（すなわち、温度センサ及び相対湿度センサが足の三ヶ所に取り付けられ、メモリカードが脚に取り付けられた）、一本の足には本発明の靴、他方の足には従来の靴が履かれていた。この試験は、普通のオフィスで三時間の間行なわれた（ある者は歩き、ある者は座り、ある者は立っていて温度は７０°Ｆで相対湿度は４０％であった）。結果は、本願が優れた利点を有していることを示めしている。
【表２】
2014014710.tif 000005
【００５４】
例８
表３に示めすように、例７と同様の試験で、装置における、少なくとも１５％の微気候（相対湿度ＲＨ）の低減が、一歩当りの排出流体体積が１０mlより多い装置により提供されている。この水準の空気流れを供給する装置が普通の環境下で行動している多くの使用者を満足させている。供給される空気流れが３０ml／一歩を上回わってもこの試験条件では使用者への利点は見られない。
【表３】
2014014710.tif 000006
【００５５】
本発明の特定の実施形態が例示され説明されてきたが、本発明はこれらに限定されるものではない。特許請求の範囲内において本発明の変更と修正とが行なわれてもよいことは明らかなことである。
【図１】
2014014710.tif 000007
【図２】
2014014710.tif 000008
【図３Ａ】
2014014710.tif 000009
【図３Ｂ】
2014014710.tif 000010
【図３Ｃ】
2014014710.tif 000011
【図３Ｄ】
2014014710.tif 000012
【図３Ｅ】
2014014710.tif 000013
【図３Ｆ】
2014014710.tif 000014
【図３Ｇ】
2014014710.tif 000015
【図３Ｈ】
2014014710.tif 000016
【図３Ｉ】
2014014710.tif 000017
【図３Ｊ】
2014014710.tif 000018
【図４】
2014014710.tif 000019
【図５】
2014014710.tif 000020
【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
かかと部分と平面部分とを有している換気式の中敷板であって、
（ａ）第一の周囲を有していて、前記換気式の中敷板の前記かかと部分に配置された接続フランジと、
（ｂ）第二の周囲を有していて、前記換気式の中敷板のかかと部分における前記接続フランジに隣接して配置されたピボットポンプと、
（ｃ）前記接続フランジと前記換気式の中敷板の前記平面部分との間の蝶番継手と、
を具備する換気式の中敷板。
【請求項２】
換気式の中敷板であって、
（ａ）かかと部分と爪先部分とを備えた中敷と、
（ｂ）前記中敷における前記かかと部分から前記爪先部分に延在している空気分配装置と、
（ｃ）前記中敷の前記かかと部分に隣接した蝶番継手と、
（ｄ）前記中敷の前記かかと部分に配置された接続フランジと、
（ｅ）前記接続フランジに隣接して配置され、前記蝶番継手の周囲を回転するピボットポンプと、
を具備する換気式の中敷板。
【請求項３】
（ａ）爪先部分と、
（ｂ）かかと部分と、
（ｃ）前記かかと部分から前記爪先部分へ延伸している中敷板であって、少なくとも１０mlの流体吐出量を有している少なくとも一つの弾力性のある圧縮ポンプを備えている中敷板と、
（ｄ）入口と出口とを有している少なくとも一つの流体流れチャンネルであって、少なくとも前記かかと部分から前記爪先部分へ延伸している流体流れチャンネルとを備えている自己換気式履き物装置であって、
前記入口が前記かかと部分に隣接して配置され、前記少なくとも一つの圧縮ポンプと流体連通しており、前記圧縮ポンプが圧縮から復元される場合空気が前記入口を介して前記圧縮ポンプに吸引される、自己換気式履き物装置。
【請求項４】
（ａ）防水式の上部と、
（ｂ）防水式の靴底部分と、
（ｃ）少なくとも一つの入口と、少なくとも一つの出口と、流体リザーバに接続し一体となっている圧縮ポンプとを有している流体分配装置とを備えている自己排水式の防水式の履き物であって、
前記流体分配装置が前記防水式の靴底部分に配置されており、前記少なくとも一つの出口が前記防水式の上部に配置されていて、前記圧縮ポンプを用いて流体を外部環境に排出している、自己排水式の防水式の履き物。
【請求項５】
（ａ）爪先部分と、
（ｂ）かかと部分と、
（ｃ）前記かかと部分から前記爪先部分へ延伸している中敷板であって、少なくとも１０mlの流体吐出量を有している少なくとも一つの圧縮ポンプを備えている中敷板と、
（ｄ）入口と出口と流体リザーバとを有しており、少なくとも前記かかと部分から前記爪先部分へ延伸している少なくとも一つの流体流れチャンネルであって、
前記入口が前記少なくとも一つの圧縮ポンプと流体連通しており、前記圧縮ポンプが圧縮から復元される場合流体が前記入口を介して前記流体流れチャンネルの前記流体リザーバの中に吸引され、そして前記圧縮ポンプが圧縮されると前記流体が前記出口を介して外部環境に排出されるように前記出口は配置されている、少なくとも一つの流体流れチャンネルと、
前記流体の流れを制御するために、前記少なくとも一つの流体流れチャンネルの前記入口と前記出口との間に配置された逆止め弁と、
を具備する自己排水式の防水式の履き物。
【外国語明細書】
2014014710000001.pdf